(57)【要約】【課題】排水トラップ内が直接見えず、しかも、排水口の開閉が可能な排水トラップ装置を提供する。【解決手段】排水トラップ１と、該排水トラップ１の上部周壁３ａに取り付けられる蓋体２とから構成される排水トラップ装置であって、蓋体２は、周壁３ａに螺合される胴部２ａと、胴部２ａの上部に形成され、上部周壁３ａを覆うカバー部２ｂとを備え、蓋体２は、胴部２ａを回転することで排水トラップ１に対して上昇による開口姿勢と、下降による閉鎖姿勢とに切換え可能とされ、胴部２ａに、胴部上昇時にのみ露出する開口部を形成する。【選択図】図２
0003098767.tif 000002
【実用新案登録請求の範囲】
【請求項１】
排水トラップと、該排水トラップの上部周壁に取り付けられる蓋体とから構成される排水トラップ装置であって、前記蓋体は、前記周壁に螺合される胴部と、該胴部の上部に形成され、前記上部周壁を覆うカバー部とを備え、前記蓋体は、胴部を回転することで排水トラップに対して上昇による開口姿勢と、下降による閉鎖姿勢とに切換え可能とされ、前記胴部に、胴部上昇時にのみ露出する開口部を形成したことを特徴とする排水トラップ装置。
【請求項２】
排水トラップに対して上昇による開口姿勢と下降による閉鎖姿勢とに切換え可能とされた蓋体であって、前記排水トラップの周壁に嵌合する胴部と、該胴部の上部に形成され、前記周壁を覆うカバー部とを備え、前記胴部に、胴部上昇時にのみ露出する開口部を形成したことを特徴とする排水トラップ用蓋体。
【考案の詳細な説明】
【０００１】
【考案の属する技術分野】
本考案は、流し、手洗い所、浴室等の排水口に設置される排水トラップの蓋体に関するものである。
【０００２】
【従来の技術】
従来、流し等の排水口部には、下水管からの臭気や害虫の侵入を防止するために排水トラップが設置されている。この排水トラップとしては、有底筒状のトラップ本体内にトラップ部を備えたものが用いられている。トラップ部の具体的な構成としては、トラップ本体内の底部に伏設する椀状体と、一端部が下水管に接続され、他端部がトラップ本体の底部を貫通して椀状体内まで立設される防臭筒とからなるものが知られている。
【０００３】
上記構造の排水トラップは、トラップ本体の周壁上端部が流し等の排水口部に接合され、このトラップ本体の周壁により排水口が形成されている。この排水口から排水トラップ内に流入した水は、防臭筒から外部に排出される。
【０００４】
また、排水トラップの多くは、トラップ部の上方に、流しから水とともに流れ込むゴミを収容するゴミ収容籠を備えたものが一般的に使用されている。
【０００５】
ところで、上記排水トラップにおいては、ゴミ収容籠内のゴミを見えなくするために、例えば、特許文献１に示すように、排水トラップを覆う覆蓋が提案されている。この覆蓋は、排水口を覆うカバー部が対向する二つの半円状部から構成され、半円状部の自由端縁に上下方向の段差を設けることにより、横向きのゴミ投入口が形成された構造を有しており、これにより上方から見たときに排水トラップ内部のゴミ収容籠を見えにくくするというものである。
【０００６】
【特許文献１】
実開平４−８４４７２号公報
【０００７】
【考案が解決しようとする課題】
しかしながら、上記覆蓋は、常時開口されているため、食器洗浄時に流し内に水を貯めるときは、別途、止水栓が必要とされていた。さらに、排水トラップのトラップ部に付着するカビやゴミ収容籠から発生する臭気を防止することができないといった問題が生じていた。
【０００８】
そこで、本考案においては、排水トラップ内が直接見えず、しかも、排水口の開閉が可能な排水トラップ装置を提供することを目的とする。
【０００９】
【課題を解決するための手段】
上記目的を達成するため、本考案では、排水トラップと、排水トラップの上部周壁に取り付けられる蓋体とから構成される排水トラップ装置であって、蓋体は、周壁に螺合される胴部と、胴部の上部に形成され、上部周壁を覆うカバー部とを備え、蓋体は、胴部を回転することで排水トラップに対して上昇による開口姿勢と、下降による閉鎖姿勢とに切換え可能とされ、胴部に、胴部上昇時にのみ露出する開口部を形成したことを特徴とする。なお、胴部を回転するとは、蓋体を胴部の周方向に回転することを意味するものである。
【００１０】
上記構成によれば、蓋体の胴部に、排水口に連通する開口部を形成しているため、排水時に蓋体を上昇させて開口部を露出させて開口姿勢とした場合でも、カバー部により排水トラップの内部を見えなくすることが可能となり、美観を損なうことがない。
【００１１】
また、蓋体を回しながら下降させることによって閉鎖姿勢とすれば、蓋体を排水口に圧接させることができ、これにより排水口を確実に閉鎖可能な止水栓として用いることができる。また、水を使用しないときに、蓋体を閉鎖姿勢とすれば、排水トラップ内の臭気を遮断することができる。さらに、開口姿勢の際に、蓋体に荷重がかかっても蓋体の下降を防止することができる。
【００１２】
上記排水トラップ装置は、排水トラップの周壁及び蓋体胴部の両者に螺合手段を設けているため、既存の排水トラップに上記蓋体を適用するのが困難となる。そこで、本考案においては、排水トラップに対して上昇による開口姿勢と下降による閉鎖姿勢とに切換え可能とされた蓋体であって、排水トラップの周壁に嵌合する胴部と、胴部の上部に形成され、周壁を覆うカバー部とを備え、胴部に、胴部上昇時にのみ露出する開口部を形成した構成を採用可能とした。
【００１３】
蓋体の胴部は、排水トラップの周壁に嵌合して上昇及び下降が可能な構造であればよく、例えば、蓋体の胴部を排水トラップの周壁に対してスライド可能に嵌合させることができる。
【００１４】
上記構成によれば、排水トラップの周壁の内径に合わせて胴部の外径を形成することで、蓋体を既存の排水トラップにも容易に装着することが可能となる。このようにして得られた蓋体は、前述の排水トラップ装置における蓋体と同様、排水トラップの内部を見えなくすることが可能となり、美観を損なうことがなく、さらに閉鎖姿勢とすることで、蓋体を止水栓として用いることが可能となる。
【００１５】
【考案の実施の形態】
以下、本考案の実施の形態を図面に基づいて説明する。図１〜３は、本考案に係る排水トラップ装置の一実施形態を示す図であり、図１は閉鎖姿勢における排水トラップ装置の断面図を、図２は開口姿勢における排水トラップ装置の断面図を、図３は蓋体の斜視図をそれぞれ示す。
【００１６】
図１及び２に示すように、本考案に係る排水トラップ装置は、排水トラップ１と、排水トラップ１に取り付けられる蓋体２とを備えている。
【００１７】
排水トラップ１は、トラップ本体３と、トラップ本体３の底部に伏設された椀状体４と、一端部が下水管に接続され、他端部がトラップ本体の底部を貫通して椀状体内まで立設される防臭筒５とから構成されるトラップ部６とを備えており、トラップ部６には、トラップ用水Ｗが常時貯水される構造となっている。
【００１８】
上記排水トラップ１は、トラップ本体の円筒状の周壁３ａが上端部で外方に折り曲げられてフランジ状の拡径部３ｂが形成され、この拡径部３ｂが流し等の排水口部Ａに接合されている。すなわち、トラップ本体３の周壁３ａにより排水口７が形成されている。
【００１９】
この排水口７から排水トラップ１内に流入した水は、防臭筒５から外部に排出される。また、トラップ本体３内には、椀状体４の上方にゴミを収容するゴミ収容籠８が収納されており、トラップ本体周壁３ａの上部には、蓋体２の胴部２ａを回転自在に螺合するための雄ねじ９が形成されている。
【００２０】
蓋体２は、図３に示すように、円筒状の胴部２ａと、胴部２ａの上部に形成されるカバー部２ｂとを備えており、カバー部２ｂは、排水口７及び拡径部３ｂを覆う大きさとされている。
【００２１】
胴部２ａの下部には、複数の開口部２ｃが形成されており、胴部２ａの外周表面には、雌ねじ１０が形成され、周壁３ａに形成された雄ねじ９と螺合するようになっている。また、カバー部２ｂの頂部には蓋体２の中心を回転軸として蓋体２を胴部２ａ周方向に回転させるための摘み部１１が形成されている。
【００２２】
蓋体２において、カバー部２ｂの周縁下部には、パッキング材１２が周状に突設されており、拡径部３ｂにはパッキング材１２が嵌合する周状の凹部１３が形成されている。
【００２３】
上記構造の排水トラップ装置において、排水口７を閉鎖するときは、摘み部１１を回転させて蓋体２を下降させ、パッキング材１１を凹部１３に嵌合させて閉鎖姿勢とする。
【００２４】
排水口７を開放するときは、摘み部１１を反対方向に回転させて蓋体２を上昇させ、胴部２ａの開口部２ｃを露出させて開口姿勢とする。これにより、流し内の水は、開口部２ｃから排水口７を通って排出される。
【００２５】
本実施形態においては、排水トラップ装置について説明したが、これに限定されず、例えば、既存の排水トラップに排水トラップ用蓋体を装着することも可能である。
【００２６】
この場合は、図４に示すように、胴部２ｃの外周表面には雌ねじを形成せず、排水トラップの周壁に嵌合可能となるように、胴部２ａの外径を調節する。そして、蓋体２の胴部２ａを排水トラップの周壁に嵌合し、蓋体２を押し下げてカバー部２ｂをトラップ本体の拡径部に密着させることによって蓋体を閉鎖姿勢とすることができる。また、蓋体２を引き上げて開口部２ｃを露出させることによって開口姿勢とすることができる。
【００２７】
なお、本考案は、上記実施形態に限定されるものではなく、本考案の範囲内で修正・変更を加えることができるのは勿論である。例えば、上記実施形態において、排水トラップのトラップ本体３内にはゴミ収容籠８が収納されているが、これに限らず、単にトラップ部６のみを備えているものであってもよい。
【００２８】
【考案の効果】
以上の説明から明らかなように、本考案によると、蓋体が、排水トラップの周壁に螺合される胴部と、胴部の上部に形成され、周壁を覆うカバー部とを備え、胴部を回転することで排水トラップに対して上昇による開口姿勢と、下降による閉鎖姿勢とに切換え可能とし、胴部に、胴部上昇時にのみ露出する開口部を形成したため、排水時に排水トラップの内部を見えなくすることが可能で、しかも閉鎖姿勢とすれば、排水口を閉鎖することが可能となる。
【図面の簡単な説明】
【図１】第１の実施形態における排水トラップ装置の閉鎖姿勢を示す断面図
【図２】上記排水トラップ装置の開口姿勢を示す断面図
【図３】上記排水トラップ装置における蓋体の斜視図
【図４】蓋体の別の実施形態を示す斜視図
【符号の説明】
１　　　　排水トラップ
２　　　　蓋体
２ａ　　　胴部
２ｂ　　　カバー部
２ｃ　　　開口部
３　　　　トラップ本体
３ａ　　　周壁
３ｂ　　　拡径部
４　　　　椀状体
５　　　　防臭筒
６　　　　トラップ部
７　　　　排水口
８　　　　ゴミ収容籠
９　　　　雄ねじ
１０　　　　雌ねじ
１１　　　　摘み部
１２　　　　パッキング材
１３　　　　凹部
【図１】
0003098767.tif 000003
【図２】
0003098767.tif 000004
【図３】
0003098767.tif 000005
【図４】
0003098767.tif 000006